(57)【要約】【課題】パーソナルコンピュータ（ＰＣ）等の通信端末装置で簡単に携帯電話のメールアドレスに関する電子メールの管理を行うこと。【解決手段】メールを送受信可能な携帯電話と、この携帯電話に対するメールの送受信を管理するメール管理サーバと、このメール管理サーバと通信回線を介して接続された通信端末装置とを備えるメール管理システムにおいて、メール管理サーバは、携帯電話のメールアドレスに対して送信されたメールを当該携帯電話に受け渡すと共に当該メールを複製する第１のサーバ部と、第１のサーバ部で複製されたメールを通信端末装置に受け渡す第２のサーバ部とを備えることを特徴とする。【選択図】図２
2008020987.tif 000002
【特許請求の範囲】
【請求項１】
メールを送受信可能な携帯電話と、前記携帯電話に対するメールの送受信を管理するメール管理サーバと、前記メール管理サーバと通信回線を介して接続された通信端末装置とを備えるメール管理システムであって、前記メール管理サーバは、前記携帯電話のメールアドレスに対するメールを当該携帯電話に送信すると共に当該メールを複製する第１のサーバ部と、前記第１のサーバ部で複製されたメールを前記通信端末装置に送信する第２のサーバ部とを備えることを特徴とするメール管理システム。
【請求項２】
前記第１のサーバ部は、前記携帯電話のメール受信動作に応じてメールを当該携帯電話に送信し、前記第２のサーバ部は、前記通信端末装置のメール受信動作に応じて前記複製されたメールを当該通信端末装置に送信することを特徴とする請求項１記載のメール管理システム。
【請求項３】
前記第１のサーバ部は、前記携帯電話のメールアドレスに対するメールの着信を当該携帯電話に通知することを特徴とする請求項１又は請求項２記載のメール管理システム。
【請求項４】
前記メール管理サーバは、前記携帯電話から指定された通信相手先にメールを送信する第３のサーバ部を備え、前記第３のサーバ部は、前記通信端末装置から指定された通信相手先にメールを前記携帯電話のメールアドレスから送信することを特徴とする請求項１から請求項３のいずれかに記載のメール管理システム。
【請求項５】
前記メール管理サーバは、前記通信端末装置から送信指示のあったメールの送信元アドレスを前記携帯電話のメールアドレスに置換するアドレス置換部を備えることを特徴とする請求項４記載のメール管理システム。
【請求項６】
前記メール管理サーバは、前記通信端末装置から送信指示のあったメールに、前記通信端末装置の識別情報を付加する識別情報付加部を備えることを特徴とする請求項４又は請求項５記載のメール管理システム。
【請求項７】
前記メール管理サーバは、前記通信端末装置の利用者の認証を行う認証部を備えることを特徴とする請求項１から請求項６のいずれかに記載のメール管理システム。
【請求項８】
前記認証部は、前記携帯電話からの要求に応じて利用者の認証に必要となる認証情報を当該携帯電話に通知することを特徴とする請求項７記載のメール管理システム。
【請求項９】
前記携帯電話に通知された認証情報を用いて前記通信端末装置の利用者の認証が行われると、前記第２のサーバ部による前記複製されたメールの送信を許容することを特徴とする請求項８記載のメール管理システム。
【請求項１０】
前記メール管理サーバは、前記携帯電話で管理される情報と、前記通信端末装置で管理される情報とを共通化させるデータ管理部を備えることを特徴とする請求項１から請求項９のいずれかに記載のメール管理システム。
【請求項１１】
前記通信端末装置を、入出力装置を備えるパーソナルコンピュータで構成したことを特徴とする請求項１から請求項１０のいずれかに記載のメール管理システム。
【請求項１２】
メールを送受信可能な携帯電話に対するメールの送受信を管理するメール管理サーバであって、前記携帯電話のメールアドレスに対するメールを当該携帯電話に送信すると共に当該メールを複製する第１のサーバ部と、前記第１のサーバ部で複製されたメールを通信回線を介して接続された通信端末装置に送信する第２のサーバ部とを備えることを特徴とするメール管理サーバ。
【請求項１３】
前記携帯電話から指定された通信相手先にメールを送信する第３のサーバ部を備え、前記第３のサーバ部は、前記通信端末装置から指定された通信相手先にメールを前記携帯電話のメールアドレスから送信することを特徴とする請求項１２記載のメール管理サーバ。
【発明の詳細な説明】
【技術分野】
【０００１】
本発明は、メール管理システム及びメール管理サーバに関し、特に、携帯電話のメールアドレスに対するメールの取得、表示等をパーソナルコンピュータ（以下、「ＰＣ」という）で行うことを可能としたメール管理システム及びメール管理サーバに関する。
【背景技術】
【０００２】
従来、携帯電話自体を携帯電話メールサービスのメール発着信のためのメールサーバとして機能させ、携帯電話のメールアドレスからの発信メールの作成・発信、並びに、携帯電話のメールアドレスに対する着信メールの取得・表示をＰＣの入出力装置で行わせる携帯電話メールサーバソフトウェアが提案されている（例えば、特許文献１参照）。かかる携帯電話メールサーバソフトウェアによれば、汎用的な常用メールクライアントソフトウェアによって携帯電話のメールアドレスに関するメールの管理を行うことが可能となる。
【特許文献１】特開２００４−８０３２４号公報
【発明の開示】
【発明が解決しようとする課題】
【０００３】
しかしながら、上述の携帯電話メールサーバソフトウェアによれば、ＰＣに対して携帯電話を直接接続しなければならないため、かかる接続に要する作業が煩雑であり、簡単に携帯電話のメールアドレスに関するメールの管理を行うことができないという問題がある。
【０００４】
本発明は、かかる点に鑑みてなされたものであり、ＰＣ等の通信端末装置で簡単に携帯電話のメールアドレスに関するメールの管理を行うことができるメール管理システム及びメール管理サーバを提供することを目的とする。
【課題を解決するための手段】
【０００５】
本発明のメール管理システムは、メールを送受信可能な携帯電話と、前記携帯電話に対するメールの送受信を管理するメール管理サーバと、前記メール管理サーバと通信回線を介して接続された通信端末装置とを備え、前記メール管理サーバは、前記携帯電話のメールアドレスに対するメールを当該携帯電話に送信すると共に当該メールを複製する第１のサーバ部と、前記第１のサーバ部で複製されたメールを前記通信端末装置に送信する第２のサーバ部とを備えることを特徴とする。
【０００６】
この構成によれば、携帯電話のメールアドレスに対するメールが送信されると、第１のサーバ部により当該メールが複製され、第２のサーバ部により第１のサーバ部で複製されたメールが通信端末装置に送信されるので、ＰＣに対する携帯電話の接続作業やソフトウェアのインストールなどの処理を必要とすることなく、ＰＣ等の通信端末装置で簡単に携帯電話のメールアドレスに関するメールの管理を行うことが可能となる。特に、第２のサーバ部で所謂ＷＥＢメールを配信可能に構成した場合には、外出先でも手軽に携帯電話のメールアドレスに関するメールの管理を通信端末装置で行うことが可能となる。
【０００７】
なお、上記メール管理システムにおいて、前記第１のサーバ部は、前記携帯電話のメール受信動作に応じてメールを当該携帯電話に送信し、前記第２のサーバ部は、前記通信端末装置のメール受信動作に応じて前記複製されたメールを当該通信端末装置に送信することが好ましい。この場合には、携帯電話及び通信端末装置のメールの受信動作に応じて、第１及び第２のサーバ部からメールが携帯電話及び通信端末装置に送信されるので、利用者の通信環境（例えば、携帯電話及び通信端末装置の双方を利用可能な環境や、携帯電話のみを利用可能な環境）に合わせて携帯電話又は通信端末装置のいずれか又は双方でメールを管理することが可能となる。
【０００８】
また、上記メール管理システムにおいて、前記第１のサーバ部は、前記携帯電話のメールアドレスに対するメールの着信を当該携帯電話に通知することが好ましい。この場合には、常に利用者が携帯する携帯電話にメールの着信が通知されるので、利用者に迅速にメールの着信を通知することができ、当該メールを携帯電話で受信するか、ＰＣ等の通信端末装置で受信するかを選択させることが可能となる。
【０００９】
また、上記メール管理システムにおいて、前記メール管理サーバは、前記携帯電話から指定された通信相手先にメールを送信する第３のサーバ部を備え、前記第３のサーバ部に、前記通信端末装置から指定された通信相手先にメールを前記携帯電話のメールアドレスから送信させることが好ましい。この場合には、通信端末装置から指定された通信相手先にメールを送信する際、携帯電話のメールアドレスから送信されるので、当該メールを受信した通信相手先に疑念を抱かせることなく、通信端末装置の入出力装置を利用してメールを作成することが可能となる。
【００１０】
例えば、上記メール管理システムにおいて、前記メール管理サーバは、前記通信端末装置から送信指示のあったメールの送信元アドレスを前記携帯電話のメールアドレスに置換するアドレス置換部を備えることが考えられる。この場合には、アドレス置換部によって送信元アドレスが携帯電話のメールアドレスに置換されるので、確実に通信端末装置から送信されるメールの送信元アドレスを携帯電話のメールアドレスに置換することが可能となる。
【００１１】
また、上記メール管理システムにおいて、前記メール管理サーバは、前記通信端末装置から送信指示のあったメールに、前記通信端末装置の識別情報を付加する識別情報付加部を備えるようにしても良い。この場合には、識別情報付加部によって通信端末装置から送信指示のあったメールに通信端末装置の識別情報が付加されるので、当該メールを受信した通信相手先に、利用者が通信端末装置を用いて通信できる環境にあることを通知することが可能となる。
【００１２】
さらに、上記メール管理システムにおいて、前記メール管理サーバは、前記通信端末装置の利用者の認証を行う認証部を備えることが好ましい。この場合には、認証部によって通信端末装置の利用者の認証が行われるので、携帯電話のメールアドレスに対するメールを通信端末装置で管理することができる利用者を限定することが可能となる。
【００１３】
例えば、上記メール管理システムにおいて、前記認証部は、前記携帯電話からの要求に応じて利用者の認証に必要となる認証情報を当該携帯電話に通知することが好ましい。この場合には、携帯電話からの要求に応じて認証情報が通知されるので、認証情報の発行に伴う処理を簡略化できると共に、その都度、発行される認証情報を変更することでシステム上のセキュリティを向上することが可能となる。
【００１４】
特に、上記メール管理システムにおいては、前記携帯電話に通知された認証情報を用いて前記通信端末装置の利用者の認証が行われると、前記第２のサーバ部による前記複製されたメールの送信を許容することが好ましい。この場合には、当該メールを通信端末装置で管理することができる利用者を、携帯電話の利用者に限定することが可能となる。
【００１５】
さらに、上記メール管理システムにおいて、前記メール管理サーバは、前記携帯電話で管理される情報と、前記通信端末装置で管理される情報とを共通化させるデータ管理部を備えることが好ましい。この場合には、データ管理部により携帯電話及び通信端末装置で管理される情報が共通化されることから、例えば、受信したメールへの返信の有無を双方の端末で認識することが可能となる。また、携帯電話で保管されるアドレス帳を通信端末装置で利用することが可能となる。
【００１６】
例えば、上記メール管理システムにおいて、前記通信端末装置を、入出力装置を備えるＰＣで構成することが好ましい。この場合には、携帯電話よりも入出力装置が大きいＰＣで携帯電話のメールアドレスに関するメールの管理を行うことが可能となるので、利用者の操作負担を軽減することが可能となる。
【００１７】
本発明のメール管理サーバは、メールを送受信可能な携帯電話に対するメールの送受信を管理するメール管理サーバであって、前記携帯電話のメールアドレスに対するメールを当該携帯電話に送信すると共に当該メールを複製する第１のサーバ部と、前記第１のサーバ部で複製されたメールを通信回線を介して接続された通信端末装置に送信する第２のサーバ部とを備えることを特徴とする。
【００１８】
この構成によれば、携帯電話のメールアドレスに対するメールが送信されると、第１のサーバ部により当該メールが複製され、第２のサーバ部により第１のサーバ部で複製されたメールが通信端末装置に送信されるので、ＰＣに対する携帯電話の接続作業やソフトウェアのインストールなどの処理を必要とすることなく、ＰＣ等の通信端末装置で簡単に携帯電話のメールアドレスに関するメールの管理を行うことが可能となる。特に、第２のサーバ部で所謂ＷＥＢメールを配信可能に構成した場合には、外出先でも手軽に携帯電話のメールアドレスに関するメールの管理を通信端末装置で行うことが可能となる。
【００１９】
また、上記メール管理サーバにおいて、前記携帯電話から指定された通信相手先にメールを送信する第３のサーバ部を備え、前記第３のサーバ部に、前記通信端末装置から指定された通信相手先にメールを前記携帯電話のメールアドレスから送信させることが好ましい。この場合には、通信端末装置から指定された通信相手先にメールを送信する際、携帯電話のメールアドレスから送信されるので、当該メールを受信した通信相手先に疑念を抱かせることなく、通信端末装置の入出力装置を利用してメールを作成することが可能となる。
【発明を実施するための最良の形態】
【００２０】
以下、本発明の実施の形態について添付図面を参照して詳細に説明する。
図１は、本実施の形態に係るメール管理システムが適用されたネットワーク全体の構成図である。なお、本明細書において、「メール」とは、インターネットを介して送受信される電子メール、並びに、通信事業者が提供するインターネット接続サービスを利用して携帯電話網を介して送受信される電子メールを含むものとする。例えば、後者の電子メールの例としては、ｉモード（登録商標）メールなどが該当する。
【００２１】
本実施の形態に係るメール管理システムは、メール管理サーバ１１により提供される。メール管理サーバ１１は、携帯電話網１２とインターネット１３との間に配置されており、メールの送受信サービスを提供するメールサーバとしての機能と、メール管理サーバ１１を管理する通信事業者のホームページを配信するウェブサーバとしての機能と、プロトコル等の相互変換を行うゲートウェイサーバとしての機能とを備える。特に、メール管理サーバ１１は、通常のメールの送受信を可能とするメールサーバとしての機能と、ホームページを介して所謂ＷＥＢメールの送受信を可能とするメールサーバとしての機能とを備える。
【００２２】
携帯電話１４及び携帯電話１５は、同一の通信事業者により管理される移動体端末装置である。携帯電話１４及び携帯電話１５は、携帯電話網１２経由でメール管理サーバ１１に接続し、携帯電話網１２に接続される他の携帯電話との間でメールを送受信することができる。さらに、携帯電話網１２からメール管理サーバ１１を介してインターネット１３に接続し、他の通信事業者により管理される携帯電話１６や、情報提供プロバイダと契約しているＰＣ１７との間でメールを送受信することができる。なお、図１においては、携帯電話１５及びＰＣ１７は、同一の利用者により所有されているものとする。
【００２３】
なお、ＰＣ１７には、メール管理サーバ１１により管理されるＷＥＢメール機能において割り当てられた固有のメールアドレス（携帯電話１５のメールアドレスとは異なるメールアドレス）が指定されている。なお、以下においては、説明の便宜上、ＰＣ１７に割り当てられたメールアドレスは、携帯電話１５のメールアドレスに対して送信されたメールを受信する場合にのみ利用されるものとする。
【００２４】
本実施の形態に係るメール管理システムは、ＰＣ１７において、携帯電話１５のメールアドレスに関するメールの管理を可能とするものである。具体的には、携帯電話１５のメールアドレスに対するメールの取得・表示をＰＣ１７で可能とすると共に、携帯電話１５のメールアドレスからのメールの作成・発信をＰＣ１７で可能とするものである。
【００２５】
図２は、本実施の形態に係るメール管理システムが有するメール管理サーバ１１の機能ブロック図である。なお、図２においては、説明の便宜上、メール管理サーバ１１が有するメールサーバとしての機能を果たすために必要となる構成について示している。図２には省略しているが、メール管理サーバ１１は、上述したウェブサーバとしての機能、並びに、ゲートウェイサーバとしての機能を果たすために必要となる構成は備えているものとする。図２においては、図１に示す携帯電話１５のメールアドレスに関するメールの管理をＰＣ１７で行わせる場合について示している。
【００２６】
図２に示すように、メール管理サーバ１１は、本メール管理サーバ１１の全体の制御を行う制御部２１を備える。特に、図２に示すメール管理サーバ１１において、制御部２１は、携帯電話１５のメールアドレスに関するメールの管理をＰＣ１７で行わせるための制御を行う。制御部２１には、第１のサーバ部としての携帯電話用受信メールサーバ部２２、第２のサーバ部としてのＰＣ用受信メールサーバ部２３及び第３のサーバ部としての携帯電話用送信メールサーバ部２４が接続されていると共に、認証部２５、メール管理部２６及びデータ管理部２７が接続されている。
【００２７】
携帯電話用受信メールサーバ部２２は、例えば、携帯電話やＰＣなどの通信相手先の通信端末(以下、単に「通信相手先」という)から携帯電話１５のメールアドレスに対して送信されたメールを、携帯電話１５で受信させるための処理を行う。具体的には、携帯電話１５のメールアドレスに対して送信されたメールを一時的に保管し、携帯電話１５に対して着信通知を送出すると共に、携帯電話１５からのメールの取得要求に応じてメールを携帯電話１５に対して送信する。
【００２８】
また、本実施の形態において、携帯電話用受信メールサーバ部２２は、通常の携帯電話用受信メールサーバと異なり、携帯電話１５のメールアドレスに対して送信されたメールをコピーして、ＰＣ用受信メールサーバ部２３に受け渡す。携帯電話用受信メールサーバ部２２によりコピーされたメールは、上述のように、携帯電話用受信メールサーバ部２２からメールを携帯電話１５に送信した後も、ＰＣ用受信メールサーバ部２３に保管された状態で維持される。
【００２９】
ＰＣ用受信メールサーバ部２３は、通信相手先から携帯電話１５のメールアドレスに対して送信されたメールを、ＰＣ１７で受信させるための処理を行う。具体的には、携帯電話用受信メールサーバ部２２から受け渡されたメールを一時的に保管し、ＰＣ１７からのメールの取得要求に応じて当該メールをＰＣ１７に対して送信する。なお、ＰＣ１７に当該メールを送信するためには、後述するように、事前に携帯電話１５で取得されたパスワードによる認証処理がＰＣ１７で行われていることが必要となる。
【００３０】
携帯電話用送信メールサーバ部２４は、携帯電話１５で作成されたメールを通信相手先に対して送信するための処理を行う。具体的には、携帯電話１５で作成されたメールを受け取り、送信先に指定された通信相手先に当該メールを送信する。また、本実施の形態において、携帯電話用送信メールサーバ部２４は、通常の携帯電話用送信メールサーバと異なり、ＰＣ１７で作成されたメールを、通信相手先に送信するための処理も行う。具体的には、ＰＣ１７で作成されたメールを受け取り、送信先に指定された通信相手先に当該メールを送信する。なお、携帯電話１５で作成されたメールは、携帯電話１５から直接入力されるのに対し、ＰＣ１７で作成されたメールは、後述するメール管理部２６を介して入力される。
【００３１】
認証部２５は、ＰＣ１７で携帯電話１５のメールアドレスに関するメールの管理を行う際に必要となる認証処理に関連する処理を行う。具体的には、ＰＣ１７の利用者の認証処理を行う際に使用されるパスワードの発行、並びに、当該パスワードとユーザＩＤとを用いた認証処理を行う。なお、上記パスワードは、携帯電話１５からのパスワード発行依頼に応じて発行される。例えば、ワンタイムパスワードが発行されるが、パスワードの種別については任意である。また、本実施の形態においては、ユーザＩＤとして携帯電話１５の電話番号を利用するが、ユーザＩＤの構成については任意である。
【００３２】
メール管理部２６は、ＰＣ１７で作成されたメールの送信元アドレスを、携帯電話１５のメールアドレスに置換する処理を行う。すなわち、メール管理部２６は、アドレス置換部として機能する。例えば、メール管理部２６は、携帯電話１５の電話番号及びメールアドレスを予め保持しておき、ＰＣ１７からのログイン要求時に把握されるユーザＩＤ（電話番号）に応じて携帯電話１５のメールアドレスを把握し、把握したメールアドレスを送信元アドレスに指定する。これにより、送信元アドレスが、ＰＣ１７に割り当てられた固有のメールアドレスから携帯電話１５のメールアドレスに置換される。なお、携帯電話１５のメールアドレスに置換する手法はこれに限定されず、いかなる手法を採用しても良い。
【００３３】
また、メール管理部２６は、ＰＣ１７で作成されたメールに対して、ＰＣ１７で作成されていることを示す識別情報を付加する処理を行う。すなわち、メール管理部２６は、識別情報付加部として機能する。例えば、メールのフッターにＰＣ１７を識別するための情報（例えば、ＰＣ１７に固有に割り当てられたメールアドレスなど）を付加する。このようにＰＣ１７で作成されていることを示す識別情報を付加するのは、例えば、通信相手先が携帯電話１５ではなく、ＰＣ１７で通信を行いたい場合等を考慮したものである。
【００３４】
データ管理部２７は、携帯電話１５及びＰＣ１７で管理される情報、例えば、アドレス帳データ、メールの受信履歴データ及び送信履歴データ、並びに、未読・既読フラグ等のデータを共通化させる処理を行う。具体的には、携帯電話１５で作成されたアドレス帳データやメールの受信履歴データ及び送信履歴データ等を携帯電話１５から取得し、更新する。一方、メール管理サーバ１１でこれらのアドレス帳データや送信履歴データ等が更新された場合には、更新後のデータを携帯電話１５に対して送信する。なお、上述の受信履歴データは、携帯電話用受信メールサーバ部２２で受信したメールから把握され、送信履歴データは、携帯電話用送信メールサーバ部２４で送信したメールから把握される。
【００３５】
このように、本実施の形態に係るメール管理サーバ１１においては、データ管理部２７によって、携帯電話１５で管理される情報と、ＰＣ１７で管理される情報とが共通化されることから、例えば、受信したメールへの返信の有無を双方の端末で認識することができ、また、携帯電話１５で保管されるアドレス帳をＰＣ１７で利用することが可能となる。この結果、利用者の操作性に優れたメール管理システムを実現することが可能となる。
【００３６】
次に、本実施の形態に係るメール管理システムにおいて、携帯電話１５のメールアドレスに関するメールの管理をＰＣ１７で行う場合の動作について図３〜図７を用いて説明する。以下においては、説明の便宜上、ＰＣ１７の利用者の認証を行う場合の動作（図３）、携帯電話１５又はＰＣ１７で携帯電話１５のメールアドレスに対して送信されたメールを受信する場合の動作（図５）、並びに、携帯電話１５のメールアドレスを用いて携帯電話１５又はＰＣ１７からメールを送信する場合の動作（図６）に分けて説明する。
【００３７】
携帯電話１５のメールアドレスに関するメールの管理をＰＣ１７で行う場合、本実施の形態に係るメール管理システムにおいては、携帯電話１５の利用者と同一の利用者のみによる利用を確保するため、図３に示すように、認証処理が行われる。
【００３８】
認証処理を行う場合、図３に示すように、利用者により、携帯電話１５から認証部２５に対して認証処理に用いられるパスワード（ＰＷ）の発行が依頼される（ステップ(以下、「ＳＴ」と略す)３１）。このパスワードの発行依頼を受け取ると、認証部２５は、予め定められた演算方式に従ってパスワードの発行処理を行う（ＳＴ３２）。なお、ここで発行されたパスワードは、認証部２５において、携帯電話１５の電話番号に対応付けて登録される。そして、発行されたパスワードは、認証部２５から携帯電話１５に通知される（ＳＴ３３）。これにより、携帯電話１５の利用者は、ＰＣ１７で携帯電話１５のメールアドレスに関するメールの管理を行う際に必要となるパスワードを取得する。
【００３９】
次に、ＰＣ１７からインターネット１３を介して、メール管理サーバ１１及び携帯電話網１２を管理する通信事業者が提供するホームページにアクセスする。当該ホームページには、携帯電話１５のメールアドレスに関するメールの取得、表示、作成及び発信が可能な制御画面（以下、「携帯電話メール制御画面」という）に画面表示を切り替えるボタンが設けられている。利用者がこのボタンをポインタなどで選択すると、ＰＣ１７のディスプレイには、携帯電話メール制御画面に先立って認証処理画面が表示される。この認証処理画面には、ユーザＩＤ及びパスワードの入力欄、並びに、ログインを要求するボタン（以下、「ログイン要求ボタン」という）が設けられている。
【００４０】
利用者によって認証処理画面のユーザＩＤの入力欄に携帯電話１５の電話番号が入力されると共に、パスワードの入力欄に先に取得したパスワードが入力された後（ＳＴ３４）、ログイン要求ボタンが選択されると、ＰＣ１７から認証部２５に対してログインを要求する信号（以下、「ログイン要求信号」という）が送信される（ＳＴ３５）。このログイン要求信号には、利用者により特定されたユーザＩＤ（電話番号）及びパスワードが含まれる。
【００４１】
ログイン要求信号を受信すると、認証部２５は、これに含まれるユーザＩＤ及びパスワードを用いて利用者の認証処理を行う（ＳＴ３６）。具体的には、ログイン要求信号に含まれるユーザＩＤ及びパスワードと、認証部２５で保管しているユーザＩＤ及びパスワードとの一致を判定することにより利用者の認証処理を行う。これらが一致した場合には、利用者の認証処理が適切に行われる。認証処理が終了すると、認証部２５からＰＣ１７に対して認証結果が通知される（ＳＴ３７）。そして、適切に認証処理が行われた場合には、認証処理画面から上述の携帯電話メール制御画面に画面表示が切り替えられる。これ以降、ＰＣ１７で携帯電話１５のメールアドレスに関するメールを管理できるようになる。
【００４２】
このように、本実施の形態に係るメール管理システムにおいては、携帯電話１５のメールアドレスに対するメールをＰＣ１７で管理することを許容する際に、認証部２５によってＰＣ１７の利用者の認証が行われるので、携帯電話１５のメールアドレスに対するメールをＰＣ１７で管理することができる利用者を限定することが可能となる。
【００４３】
なお、本実施の形態に係るメール管理システムにおいて、認証部２５は、携帯電話１５からの要求に応じて利用者の認証に必要となる認証情報（ここでは、パスワード）を当該携帯電話１５に通知している。このように、携帯電話１５からの要求に応じて認証情報が通知されるので、認証情報の発行に伴う処理を簡略化できると共に、その都度、発行される認証情報を変更することでシステム上のセキュリティを向上することが可能となる。
【００４４】
特に、本実施の形態に係るメール管理システムにおいては、携帯電話１５に通知された認証情報を用いて通信端末装置１７の利用者の認証が行われると、ＰＣ１７で携帯電話１５のメールアドレスに関するメールの管理を可能としている（具体的には、ＰＣ用受信メールサーバ部２３による通信端末装置１７へのメール送信を許容している）ので、当該メールをＰＣ１７で管理することができる利用者を携帯電話１５の利用者に限定することが可能となる。
【００４５】
ここで、本実施の形態に係るメール管理システムにおいて、ＰＣ１７のディスプレイに表示される携帯電話メール制御画面について説明する。図４は、本実施の形態に係るメール管理システムにおいて、ＰＣ１７のディスプレイに表示される携帯電話メール制御画面の一例について示している。
【００４６】
図４に示すように、携帯電話メール制御画面は、例えば、利用者及びその携帯電話に関する情報を表示する携帯電話情報表示領域４１と、画面上の情報の種別を表示する情報種別表示領域４２と、利用者の特性に合わせた広告を表示する広告表示領域４３と、メールチェックや新規メール作成などの各種のファンクション（Ｆ）ボタンを表示するＦボタン表示領域４４と、受信メールや送信メールなどの一覧を表示するメール一覧表示領域４５と、選択された受信メールの内容を表示する受信メール表示領域４６と、送信者への返信などを指示する指示ボタンを表示する指示ボタン表示領域４７と、を含んでいる。
【００４７】
携帯電話情報表示領域４１には、利用者の氏名を表示する氏名表示部４１１、利用者の携帯電話のメールアドレスを表示するアドレス表示部４１２、並びに、利用者の携帯電話の機種を表示する機種表示部４１３が設けられている。情報種別表示領域４２には、画面上の情報が受信メールの一覧であることを示す受信ボックス欄４２１、画面上の情報が送信メールの一覧であることを示す送信ボックス欄４２２、並びに、画面上の情報が下書き中のメールの一覧であることを示す下書き保存ボックス欄４２３が設けられている。なお、図４においては、受信ボックス欄４２１が選択された場合について示している。
【００４８】
広告表示領域４３には、携帯電話の利用者の特性（例えば、性別、年齢、住所及び趣味など）に応じた広告情報が表示される。利用者の特性は、例えば、認証処理を行う際などに提示されたアンケート結果から把握される。この広告表示領域４３に表示される広告の回数や時間等に応じて広告主から広告料を取得することは実施の形態として好ましい。Ｆボタン表示領域４４には、ＰＣ用受信メールサーバ部２３への新着メールの有無のチェックを指示するメールチェックボタン４４１、新規のメールの作成を指示する新規メール作成ボタン４４２、アドレス帳の表示を指示するアドレス帳ボタン４４３、並びに、新着メールの自動取得などのタイミング等の設定を指示するオプション設定ボタン４４４が設けられている。また、携帯電話メール制御画面における使い方の表示や、ログアウトを指示するボタンも設けられている。
【００４９】
メール一覧表示領域４５には、例えば、メールの種別（例えば、緊急度の種別等）を示すメール種別欄４５１、未読状態か既読状態かを示す未・既読欄４５２、メールに付された件名を示す件名欄４５３、メールの送信者を示す送信者欄４５４、メールの受信日時を示す受信日時欄４５５、メールのサイズを示すサイズ欄４５６、並びに、添付ファイルの有無を示す添付ファイル欄４５７が設けられている。なお、図４においては、受信メールの一覧が表示されている場合について示している。送信メールの一覧が表示される場合には、受信日時欄４５５などが適宜、送信日時欄などに変更される。
【００５０】
受信メール表示領域４６には、メール一覧表示領域４５で選択された受信メールを、利用者が所有する携帯電話の画面で表示した場合の画面状態が表示される。受信メール表示領域４６においては、利用者が所有する携帯電話の機種に応じてその表示画面の大きさやボタンの配置等が変更される。指示ボタン表示領域４７には、選択されている受信メールや下書き中の電子メールのデータ管理部２７（お預かりセンタ）への保存を指示する保存指示ボタン４７１、選択されている受信メールの送信者への返信を指示する返信指示ボタン４７２、並びに、選択されている受信メールの送信者や、送信先に指定された受信者などの全員への返信を指示する全員返信指示ボタン４７３が設けられている。
【００５１】
利用者は、このような携帯電話メール制御画面をＰＣ１７のディスプレイに表示させ、当該携帯電話メール制御画面に対して所望の指示を行うことにより、携帯電話１５のメールアドレスに対して送信されたメールの取得や表示、並びに、携帯電話１５のメールアドレスを送信元アドレスに指定されたメールの作成や発信を行うことが可能となる。
【００５２】
次に、携帯電話１５又はＰＣ１７で携帯電話１５のメールアドレスに対して送信されたメールを受信する場合の動作について説明する。ここでは、図３に示す認証処理を経て、ＰＣ１７で携帯電話１５のメールアドレスに関するメールを管理可能となっているものとする。そして、ＰＣ１７のディスプレイには、図４に示す携帯電話メール制御画面が表示されているものとする。
【００５３】
このように、ＰＣ１７で携帯電話１５のメールアドレスに関するメールを管理できるようになった後、通信相手先からメールが携帯電話１５のメールアドレスに送信されると、当該メールは、図５に示すように、携帯電話用受信メールサーバ部２２に受信される。
【００５４】
携帯電話１５のメールアドレスに対して送信されたメールを確認すると、携帯電話用受信メールサーバ部２２は、当該メールをコピーしてＰＣ用受信メールサーバ部２３に受け渡す（ＳＴ５１）。コピーされたメール（以下、「コピーメール」という）は、ＰＣ用受信メールサーバ部２３で一時的に保管される。コピーメールをＰＣ用受信メールサーバ部２３に受け渡した後、携帯電話用受信メールサーバ部２２は、携帯電話１５に対してメール着信があった旨を通知する（メール着信通知：ＳＴ５２）。
【００５５】
メール着信通知を受けた後、利用者が携帯電話１５でメールを取得しようとする場合には、利用者から携帯電話１５に対してメールの取得が指示される。このメール取得指示を受け付けると（ＳＴ５３）、携帯電話１５は、携帯電話網１２を介して携帯電話用受信メールサーバ部２２に対してメールの取得を指示する信号（以下、「メール取得信号」という）を送信する（ＳＴ５４）。このメール取得信号を確認したならば、携帯電話用受信メールサーバ部２２は、メールを携帯電話１５に送信する（ＳＴ５５）。このメールを受信し、表示画面に当該メールを表示することにより、携帯電話１５で、携帯電話１５のメールアドレスに対するメールの取得・表示が可能となる。
【００５６】
一方、メール着信通知を受けた後、利用者がＰＣ１７でメールを取得しようとする場合には、利用者からＰＣ１７に対してメールの取得が指示される。具体的には、図４に示す携帯電話メール制御画面のメールチェックボタン４４１を選択することで、メールの取得が指示される。このメール取得指示を受け付けると（ＳＴ５６）、ＰＣ１７は、インターネット１３を介してＰＣ用受信メールサーバ部２３に対してメール取得信号を送信する（ＳＴ５７）。このメール取得信号を確認したならば、ＰＣ用受信メールサーバ部２３は、メールをＰＣ１７に送信する（ＳＴ５８）。このメールを受信し、ディスプレイに表示することにより、ＰＣ１７で、携帯電話１５のメールアドレスに対するメールの取得・表示が可能となる。
【００５７】
具体的には、図４に示すように、メール一覧表示領域４５に新たに受信したメールの件名、送信者及び受信日時などが表示されると共に、受信メール表示領域４６に当該メールの内容が表示される。図４においては、メール一覧表示領域４５に、送信者「ＨＩＪＫＬＭＮ」からの「おめでとう！！」という件名のメールが表示された場合について示している。
【００５８】
次に、携帯電話１５のメールアドレスを用いて携帯電話１５又はＰＣ１７からメールを送信する場合の動作について説明する。ここでは、図３に示す認証処理を経て、ＰＣ１７で携帯電話１５のメールアドレスに関するメールを管理可能となっているものとする。そして、ＰＣ１７のディスプレイには、図４に示す携帯電話メール制御画面が表示されているものとする。
【００５９】
携帯電話１５のメールアドレスを用いて携帯電話１５からメールを送信する場合、一般に行われているメールの送信動作が行われる。すなわち、携帯電話１５は、メールの作成を経て、当該メールの送信指示を受け付けるか判定する（ＳＴ６１）。メールの送信指示を確認したならば、携帯電話１５は、携帯電話網１２を介して携帯電話用送信メールサーバ部２４に対して作成されたメールを送信する（ＳＴ６２）。携帯電話１５から送信されたメールは、携帯電話用送信メールサーバ部２４を介して指定された通信相手先に送信される。
【００６０】
一方、携帯電話１５のメールアドレスを用いてＰＣ１７からメールを送信する場合、ＰＣ１７は、メールの作成を経て、当該メールの送信指示を受け付けるか判定する（ＳＴ６３）。具体的には、ＰＣ１７は、図４に示す携帯電話メール制御画面から新規メール作成ボタン４４２、返信指示ボタン４７２又は全員返信指示ボタン４７３が選択された後、後述する携帯電話メール作成画面から送信指示ボタンが選択されたかを判定することで、メールの送信指示を受け付けるか判定する。
【００６１】
ここで、本実施の形態に係るメール管理システムにおいて、ＰＣ１７のディスプレイに表示される携帯電話メール作成画面について説明する。図７は、本実施の形態に係るメール管理システムにおいて、ＰＣ１７のディスプレイに表示される携帯電話メール作成画面の一例について示している。なお、図７に示す携帯電話メール作成画面において、図４に示す携帯電話メール制御画面と同一の表示については、同一の符号を付し、その説明を省略する。
【００６２】
図７に示す携帯電話メール作成画面は、図４に示す携帯電話メール制御画面から新規メール作成ボタン４４２、返信指示ボタン４７２又は全員返信指示ボタン４７３が選択されることにより、ＰＣ１７のディスプレイに表示されるものである。なお、図７に示す携帯電話メール作成画面においては、図４に示す携帯電話メール制御画面から返信指示ボタン４７２が選択された場合について示している。
【００６３】
図７に示すように、携帯電話メール作成画面は、例えば、受信メールの内容を表示する受信メール表示領域７１と、正規の送信先（返信先）が指定される宛先指定欄７２と、同時に送信される送信先が指定される宛先指定欄７３と、件名が指定される件名指定欄７４と、メールの本文が入力される本文入力欄７５と、メールの本文に挿入される絵文字の候補が表示される絵文字表示領域７６と、添付ファイルが表示される添付ファイル表示欄７７と、メールの本文に設定されるオプションの内容を表示するオプション表示欄７８と、アドレス帳の参照を指示するアドレス帳参照ボタン７９と、作成しているメールの内容を表示するプレビュー表示領域８０と、メールの送信を指示する送信指示ボタン８１と、を含んでいる。
【００６４】
受信メール表示領域７１には、返信しようとする元の受信メールの内容が表示される。これにより、利用者は、受信メールの内容を確認しながら、送信メールの内容を作成することが可能となる。なお、新規にメールを作成する場合には、返信しようとする元のメールが存在しないため、受信メール表示領域７１は空欄となる。添付ファイル表示欄７７には、読み込み指定ボタン７７１が設けられている。読み込み指定ボタン７７１を選択することにより、ＰＣ１７内に登録されているファイルを読み込んで添付することが可能となる。
【００６５】
オプション表示欄７８には、メールの本文を構成する文字を編集する文字編集ボタン７８１、メールの本文内に画像を挿入する画像挿入ボタン７８２、並びに、メールの本文の背景色を変更する背景色変更ボタン７８３が設けられている。かかる文字編集ボタン７８１、画像挿入ボタン７８２及び背景色変更ボタン７８３で指定された内容が各ボタンの近傍に表示される。
【００６６】
アドレス帳参照ボタン７９は、利用者がアドレス帳の参照を希望する場合に選択される。アドレス帳参照ボタン７９が選択されると、データ管理サーバ部２７が管理するアドレス帳を表示するアドレス帳画面が表示される。このアドレス帳画面から利用者は、送信先の宛先を指定することが可能となる。なお、このアドレス帳参照ボタン７９を用いたアドレス帳の参照を、有料会員にのみ許容することは実施の形態として好ましい。この場合には、有料会員に限定されたサービスを提供することが可能となる。
【００６７】
プレビュー表示領域８０には、本文入力欄７５に指定されたメールの本文と、オプション表示欄７８で指定された内容を反映したメールの内容が表示される。なお、プレビュー表示部８０には、スクロールを省略できるように、実際の携帯電話１５の表示画面よりも長く表示画面が表示されている。図７においては、プレビュー表示領域８０に、メールの本文に複数個の絵文字が使用され、また、メールの本文内に複数の画像が挿入された場合について示している。
【００６８】
図６に戻り、ＰＣ１７からメールを送信する場合の動作の説明を継続する。利用者がＰＣ１７からメールを送信しようとする場合には、ＰＣ１７は、利用者からメールの送信指示を受け付ける（ＳＴ６３、ＹＥＳ）。メールの送信指示を確認したならば、ＰＣ１７は、インターネット１３を介してメール管理部２６に対して作成されたメールを送信する（ＳＴ６４）。
【００６９】
ＰＣ１７からメールを受信すると、メール管理部２６は、ＰＣ１７で作成されたメールの内容を編集する処理を行う（ＳＴ６５）。具体的には、ＰＣ１７で作成されたメールの送信元アドレスを、ＰＣ１７のメールアドレスから携帯電話１５のメールアドレスに置換すると共に、ＰＣ１７で作成されたメールに対して、ＰＣ１７で作成されていることを示す識別情報を付加する。そして、編集後のメールを携帯電話用送信メールサーバ部２４に送信する（ＳＴ６６）。メール管理部２６から送信されたメールは、携帯電話用送信メールサーバ部２４を介して指定された通信相手先に送信される。
【００７０】
このように、ＰＣ１７からメールを送信する場合においては、メール管理部２６によって送信元アドレスが携帯電話１５のメールアドレスに置換されるので、ＰＣ１７から送信されるメールの送信元アドレスを確実に携帯電話１５のメールアドレスに置換することが可能となる。また、メール管理部２６によってＰＣ１７から送信指示のあったメールにＰＣ１７の識別情報が付加されるので、当該メールを受信した通信相手先に、利用者がＰＣ１７を用いて通信できる環境にあることを通知することが可能となる。
【００７１】
このように、本実施の形態に係るメール管理システムによれば、携帯電話１５のメールアドレスに対するメールが送信されると、携帯電話用受信メールサーバ部２２により当該メールがコピーされ、ＰＣ用受信メールサーバ部２３により携帯電話用受信メールサーバ部２２でコピーされたメールがＰＣ１７に送信されるので、ＰＣ１７に対する携帯電話１５の接続作業やソフトウェアのインストールなどの処理を必要とすることなく、ＰＣ１７で簡単に携帯電話１５のメールアドレスに関するメールの管理を行うことが可能となる。この場合においては、携帯電話１５よりも入出力装置が大きいＰＣ１７で携帯電話１５のメールアドレスに関するメールの管理を行うことが可能となるので、利用者の操作負担を軽減することが可能となる。
【００７２】
特に、本実施の形態に係るメール管理システムにおいては、ＰＣ用受信メールサーバ部２３が所謂ＷＥＢメールを配信可能に構成されていることから、外出先でも手軽に携帯電話１５のメールアドレスに関するメールの管理をＰＣ１７（ＰＣ１７以外の他のＰＣも含む）で行うことが可能となる。
【００７３】
なお、本実施の形態に係るメール管理システムにおいて、携帯電話用受信メールサーバ部２２は、携帯電話１５のメール取得動作に応じてメールを当該携帯電話１５に送信し、ＰＣ用受信メールサーバ部２３は、ＰＣ１７のメール取得動作に応じてコピーされたメールを当該ＰＣ１７に送信する。これにより、携帯電話１５及びＰＣ１７からのメールの取得動作に応じて、携帯電話用受信メールサーバ部２２及びＰＣ用受信メールサーバ部２３からメールが携帯電話１５及びＰＣ１７に送信されるので、利用者の通信環境（例えば、携帯電話１５及びＰＣ１７の双方を利用可能な環境や、携帯電話１５のみを利用可能な環境）に合わせて携帯電話１５又はＰＣ１７のいずれか又は双方でメールを管理することが可能となる。
【００７４】
また、本実施の形態に係るメール管理システムにおいて、携帯電話用受信メールサーバ部２２は、携帯電話１５のメールアドレスに対するメールの着信を当該携帯電話１５に通知する。これにより、常に利用者が携帯する携帯電話１５にメールの着信が通知されるので、利用者に迅速にメールの着信を通知することができ、当該メールを携帯電話１５で受信するか、ＰＣ１７で受信するかを選択させることが可能となる。
【００７５】
さらに、本実施の形態に係るメール管理システムにおいて、メール管理サーバ１１は、携帯電話１５から指定された通信相手先にメールを送信する携帯電話用送信メールサーバ部２４を備え、携帯電話用送信メールサーバ部２４に、ＰＣ１７から指定された通信相手先にメールを携帯電話１５のメールアドレスから送信させる。これにより、ＰＣ１７から指定された通信相手先にメールを送信する際、携帯電話１５のメールアドレスから送信されるので、当該メールを受信した通信相手先に疑念を抱かせることなく、ＰＣ１７の入出力装置を利用してメールを作成することが可能となる。
【００７６】
なお、本発明は、上記実施の形態に限定されず、本発明の効果を発揮する範囲内において種々変更して実施することが可能である。また、本発明の目的の範囲を逸脱しない限りにおいて適宜変更して実施することが可能である。
【００７７】
例えば、上記実施の形態においては、メール管理サーバ１１を管理する通信事業者が運営するＷＥＢメール機能を用いてＰＣ１７で携帯電話１５のメールアドレスに対するメールの管理を可能としているが、これに限定されるものではない。例えば、汎用的な常用メールクライアントソフトや、上記通信事業者以外の事業者が管理・運営するＷＥＢメール機能を用いて、適宜、携帯電話１５のメールアドレスに対するメールの管理を行うことも可能である。しかし、この場合には、図４及び図７に示すように、携帯電話１５で表示されるメールの内容等の表示は困難である。利用者の操作性に優れたメール管理システムを提供するためには、上記実施の形態のように上記通信事業者により提供されるＷＥＢメール機能を用いることが好ましい。
【図面の簡単な説明】
【００７８】
【図１】本実施の形態に係るメール管理システムが適用されたネットワーク全体の構成図である。
【図２】上記実施の形態に係るメール管理システムが有するメール管理サーバの機能ブロック図である。
【図３】上記実施の形態に係るメール管理システムにおいて、ＰＣの利用者の認証を行う場合の動作を説明するためのシーケンス図である。
【図４】上記実施の形態に係るメール管理システムにおいて、ＰＣのディスプレイに表示される携帯電話メール制御画面の一例について示す図である。
【図５】上記実施の形態に係るメール管理システムにおいて、ＰＣ等で携帯電話のメールアドレスに対して送信されたメールを受信する場合の動作を説明するためのシーケンス図である。
【図６】上記実施の形態に係るメール管理システムにおいて、携帯電話のメールアドレスを用いてＰＣ等からメールを送信する場合の動作を説明するためのシーケンス図である。
【図７】上記実施の形態に係るメール管理システムにおいて、ＰＣのディスプレイに表示される携帯電話メール作成画面の一例について示す図である。
【符号の説明】
【００７９】
１１  メール管理サーバ
１２  携帯電話網
１３  インターネット
１４〜１６  携帯電話
１７  パーソナルコンピュータ（ＰＣ）
２１  制御部
２２  携帯電話用受信メールサーバ部
２３  ＰＣ用受信メールサーバ部
２４  携帯電話用送信メールサーバ部
２５  認証部
２６  メール管理部
２７  データ管理部
【図１】
2008020987.tif 000003
【図２】
2008020987.tif 000004
【図３】
2008020987.tif 000005
【図４】
2008020987.tif 000006
【図５】
2008020987.tif 000007
【図６】
2008020987.tif 000008
【図７】
2008020987.tif 000009